(57)【要約】      （修正有）【課題】透光性を有する陶磁器によって醸し出される特有の光の雰囲気を確保しつつ、強度にも優れた斬新な透光性ボード体を提供する。【解決手段】全部又は一部が透光性を有し且つオモテ面に任意の表面処理を施した平板状の陶磁器板１と、陶磁器板１のうちウラ面に配置される透明又は半透明で平板状の補強用樹脂板３と、陶磁器板１及び補強用樹脂板３を相互に接着する透明又は半透明の中間接着層２とを備え、これら陶磁器板１、中間接着層２及び補強用樹脂板３を一体的に積層して形成される三層構造の透光性ボード体Ｘとし、強度の向上を図りつつ、補強用樹脂板３や中間接着層２の存在によって陶磁器板１の透光性を大きく低下させることのない構成とする。【選択図】図１
2016037731.tif 000002
【特許請求の範囲】
【請求項１】
全部又は一部が透光性を有し且つオモテ面に任意の表面処理を施した平板状の陶磁器と、
前記陶磁器のウラ面側に配置される透明又は半透明で平板状の補強用樹脂板と、
前記陶磁器及び前記補強用樹脂板を相互に接着して固定する透明又は半透明の中間接着層とを備えていることを特徴とする透光性ボード体。
【請求項２】
前記中間接着層が、硬化前はペースト状をなし、硬化後にゴム状弾性体になる弾性接着剤からなる請求項１に記載の透光性ボード体。
【請求項３】
硬質樹脂によって前記補強用樹脂板を形成している請求項１又は２に記載の透光性ボード体。
【請求項４】
発泡樹脂によって前記補強用樹脂板を形成している請求項３に記載の透光性ボード体。
【請求項５】
請求項１乃至４の何れかに記載の透光性ボード体と、光源と、前記光源を保持し且つ前記透光性ボード体及び前記光源の相対位置を位置決めする光源保持部とを備えていることを特徴とする照明付き透光性建材。
【請求項６】
前記透光性ボード体によって閉成される開口部を有するケースを備え、当該ケースの内向き壁面を前記光源保持部として機能させている請求項５に記載の照明付き透光性建材。
【発明の詳細な説明】
【技術分野】
【０００１】
本発明は、透光性陶磁器を用いた透光性ボード体、及び透光性陶磁器を用いた照明付き透光性建材に関するものである。
【背景技術】
【０００２】
陶磁器（陶器や磁器等の総称）は、特有の質感や意匠性に優れ、さらには薬品による腐食にも強く、高い耐熱性を有することから、各種容器等の日用陶器の他、置物、衛生陶器、建築用タイル、陶板、傘立て等、広い用途で使用されている。また、透光性を有する陶磁器であれば、照明具として活用することで、画一的で人工的ではない特有の揺らぎがある光の空間を形成することができる。
【０００３】
ところで、陶磁器は、衝撃に弱く、外力が作用した場合に破損し易い。そこで、下記特許文献１には、耐衝撃性の向上を図るべく、セラミックスからなる陶磁器のうち少なくとも外表面を、シリコン樹脂又は／及びウレタン樹脂からなる保護層で被覆する技術が開示されている。同特許文献には、略均一な厚みの平坦な膜状の保護層であれば耐衝撃性の向上効果を充分に発揮し、また、透光性を有する陶磁器を使用する場合、０．１ｍｍ乃至３．５ｍｍの厚みを有する膜状の保護層又はメッシュ状の保護層を適用すれば、陶磁器の透光性を損なわずに耐衝撃性を向上させる技術が開示されている。また、同特許文献には、保護層の具体例として、液状の樹脂材料を陶磁器本体部の外表面に吹き付けて塗布し、乾燥させて形成する態様や、ペースト状のシリコン樹脂を陶磁器の外表面に塗布して乾燥させて形成する態様、或いは、厚さ１．０ｍｍのメッシュ状のシリコン樹脂のシートを陶磁器の外表面に接着剤で貼付する態様が開示されている。
【０００４】
また、下記特許文献２には、陶磁器の表側面（釉薬を施す面）とは反対側の面に、透光性の繊維強化プラスチックからなる補強部を形成することによって、従来よりも耐衝撃性に優れ、破損時における破片の飛散を防止可能な構成が開示され、繊維強化プラスチックの具体例として、ガラス繊維を樹脂で固めたガラス繊維強化プラスチックが挙げられている。
【先行技術文献】
【特許文献】
【０００５】
【特許文献１】特開２００５−３１４２０３号公報
【特許文献２】特開２０１０−０３０７９４号公報
【発明の概要】
【発明が解決しようとする課題】
【０００６】
本発明者は、透光性を有する陶磁器によって醸し出される独特の光の雰囲気を確保しつつ、強度にも優れた透光性ボード体や透光性建材を創作すべく、鋭意研究を重ねてきた。その過程で、上述した特許文献１記載のように、陶磁器が透光性を有するものであるか否かを問わず、陶磁器のうち少なくとも外表面をシリコン樹脂又は／及びウレタン樹脂からなる保護層のみで被覆する構成に準じたボード体は、薄い膜状の保護層のみが補強部として機能するものの、強度の点において改善の余地があることが分かった。また、陶磁器が透光性を有するものである場合に、膜状やメッシュ状の保護層の厚みが３．５ｍｍよりも分厚ければ、透光性が低下すること、さらに、メッシュ状の保護層を適用すれば、各網目に接着剤を正確に塗布する処理に手間が掛かったり、極めて薄いメッシュ状であることに起因する接着処理等での取扱い難さといった問題があること等の改善の余地が認められた。
【０００７】
また、ガラス繊維強化プラスチックは透光性が低く、このようなガラス繊維強化プラスチックからなる補強部を、陶磁器の表側面（釉薬を施す面）とは反対側の面に形成する構成に準じたボード体であれば、たとえ陶磁器が透光性を有するものであってもガラス繊維強化プラスチックの存在によって、陶磁器自体が奏し得る特有の光の雰囲気を消してしまうことが分かった。
【０００８】
本発明は、このような事情に着目してなされたものであって、主たる目的は、透光性を有する陶磁器によって醸し出される特有の光の雰囲気を確保しつつ、強度にも優れた透光性ボード体や透光性建材を提供することにある。
【課題を解決するための手段】
【０００９】
すなわち、本発明に係る透光性ボード体は、全部又は一部が透光性を有し且つオモテ面に任意の表面処理を施した平板状の陶磁器と、陶磁器のウラ面側に配置される透明又は半透明で平板状の補強用樹脂板と、陶磁器及び補強用樹脂板を相互に接着して固定する透明又は半透明の中間接着層とを備えていることを特徴としている。
【００１０】
ここで、本発明における透光性ボードは、少なくとも一部に透光性を有する陶磁器を備えたものであればよく、陶磁器全体が透光性を有するものであってもよいし、陶磁器の一部が透光性を有するものであってもよい。後者（陶磁器の一部が透光性を有するものである態様）の場合、陶磁器全体のうち非透光性部分の数は１或いは複数の何れでもよい。また、透光性陶磁器の素材である透光性陶磁器用練り土は、透光性に優れたものであればよい。例えば、特許第５３５２０３５号公報に記載の、石英ガラス粉末である骨材と、準長石及び／又はガラスフリットである媒熔材と、可塑性付与材とを含有してなる陶磁器用練り土であれば、焼成して得られる透光性陶磁器の結晶化度（ＪＩＳ Ｋ０１３１−１９９６、粉末Ｘ線回折分析による）は２〜１０％となり、良好な透光性を有する。もちろん、上記以外の透光性陶磁器用練り土を焼成して得られる陶磁器であってもよく、上述の結晶化度が２％未満、或いは１０％を越える透光性陶磁器であってもよい。また、陶磁器のオモテ面に施す「任意の表面処理」としては、釉掛け（釉薬を掛ける処理）、シルク印刷、ＵＶインクジェットプリント、各種シートを用いたデザイン処理を挙げることができ、本発明における透光性陶磁器は、オモテ面に複数種類の表面処理を施したものであってもよい。
【００１１】
本発明に係る透光性ボード体は、全部又は一部が透光性を有する陶磁器のウラ面に、透明又は半透明の中間接着層を介して、透明又は半透明の補強用樹脂板を接着している構成により、補強用樹脂板及び中間接着層が陶磁器の透光性を著しく低下させる要因として作用することがなく、透光性を有する陶磁器によって醸し出される特有の光の雰囲気を確保することができるとともに、全体として陶磁器、中間接着層及び補強用樹脂板の三層構造となるため、陶磁器及び膜状の保護層からなる二層構造の態様と比較して、強度を高めることができる。そして、本発明に係る透光性ボード体であれば、陶磁器の裏板として機能する透光性の補強用樹脂板の厚みを大きく（例えば陶磁器の厚みよりも大きく）設定することにより、透光性ボード体全体の強度を高めることができるとともに、補強用樹脂板及び中間接着層が何れも透明の素材から形成した構成であれば、透光性ボード体を通過する光の透過率（または透過度とも称す）を最大限にすることができ、補強用樹脂板及び中間接着層が何れも半透明の素材から形成した構成であれば、透光性ボード体を通過する光の拡散率を向上させることができる。なお、本発明に係る透光性ボード体は、補強用樹脂板又は中間接着層の何れか一方のみを透明の素材から形成し、他方を半透明の素材から形成した構成であっても構わない。すなわち、補強用樹脂板及び中間接着層は何れもが透光性を有するものであればよい。
【００１２】
このような構成を有する本発明に係る透光性ボード体は、何れも透光性を有する陶磁器、中間接着層及び補強用樹脂板をこの順で積層した三層構造であるため、強度が高く、透光性陶磁器の素材自体及び透光性陶磁器のオモテ面に施した表面処理に基づく特有の光の雰囲気を醸し出すことが可能である。
【００１３】
特に、本発明における陶磁器及び補強用樹脂板は、何れも平板状であるため、両者を中間接着層によって容易に面接着させることができ、例えば陶磁器にメッシュ状の保護膜を接着剤で接着する態様と比較して、接着処理を容易且つスムーズに行うことができる。さらにまた、硬化前はペースト状をなし、且つ硬化後にゴム状弾性体になる弾性接着剤によって中間接着層を形成した透光性ボード体であれば、弾性接着剤の硬化後において、透光性ボード体の配置環境や季節の温度変化などによって成型品の補強用樹脂板が収縮したり、膨張した場合であっても、その変形を、ゴム状弾性体である中間接着層によって吸収することができ、熱膨張係数が互いに異なる陶磁器板及び補強用樹脂板の良好な固定状態（面接着状態）を維持することができる。
【００１４】
なお、本発明に係る透光性ボード体は、全体として陶磁器、中間接着層及び補強用樹脂板の３層構造のボード体であればよく、陶磁器のオモテ面に正対する方向から見た形状（以下では、この方向からの形状を平面形状とする）は矩形状に限らず、種々の形状に設定することができる。また、本発明における透光性を有する中間接着層としては、透明シリコンまたは半透明シリコン、或いは透明ウレタンまたは半透明ウレタンを素材とする接着剤を挙げることができる。
【００１５】
さらに、本発明における透明または半透明の補強用樹脂板としては、硬質樹脂によって形成したものが好ましい。このような補強用樹脂板であれば強度をより一層高いものとすることができ、破損時の飛散を防止するとともに、衝撃による割れを防止・抑制することができる。特に、硬質樹脂の補強用樹脂板として、発泡樹脂によって形成したものを適用した場合には、発泡樹脂を適用していない補強用樹脂板と比較して、所定サイズあたりの樹脂原料の使用量を減らすことでコスト削減及び軽量化を図ることができるのみならず、曲げ強度や引っ張り強度も向上し、撓み難い補強用樹脂板となる。加えて、発泡樹脂によって形成した補強用樹脂板であれば、陶磁器のオモテ面に正対する方向から透光性ボード体を見た場合に、補強用樹脂板の後方（奥方）に配置されている物体（例えば光源等）の存在をぼやかすことができ、デザイン性の向上に役立つ。
【００１６】
本発明に係る透光性ボード体の具体的な適用例としては、屋内サイン、内装材、什器電飾材、照明カバー材、あるいはテーブルやデスクの天板等を挙げることができる。
【００１７】
また、本発明に係る照明付き透光性建材は、上述した構成の透光性ボード体と、照射光源と、光源を保持し且つ透光性ボード体及び光源の相対位置を位置決めする光源保持部とを備えていることを特徴としている。
【００１８】
ここで、光源としては、ＬＥＤ、蛍光灯、各種電球等を挙げることができる。光源は、陶磁器及び補強用樹脂板のうち相対的に補強用樹脂板に近い位置に配置されることが好ましいが、陶磁器及び補強用樹脂板のうち相対的に陶磁器に近い位置に配置することもできる。本発明の照明付き透光性建材が備える透光性ボード体や光源の数は、用途や透光性ボード体の大きさ、透光度によって適宜決めることができ、それぞれ１又は複数の何れであってもよく、透光性ボード体及び光源の数は、相互に同数であってもよいし、相互に異なる数であってもよい。
【００１９】
このような照明付き建材であれば、透光性陶磁器を有する透光性ボード体が奏する上述の作用効果を奏するのみならず、光源から発光される光が透光性ボード体によって特有の雰囲気を醸し出す灯りとなって現れ、周知の建材では得られない光の空間を形成することができる。また、本発明に係る照明付き建材であれば、光源保持部によって、透光性ボード体と光源との相対位置を位置決めしているため、この建材を所定の場所に設置した初期設置状態における透光性ボード体と光源との適切な相対位置を維持することができ、透光性ボード体を通じた光源の良好な照明加減を長期に渡って維持することができる。
【００２０】
本発明に係る照明付き透光性建材の具体例としては、屋外サインや外装材を挙げることができる。このような用途で使用可能な照明付き透光性建材において光源の早期損傷や劣化を防止するとともに、設置前や部品修理・交換時の取扱い性の向上を図るには、透光性ボード体によって閉成される開口部を有するケースを備え、ケースの内向き壁面を光源保持部として機能させる構成が好ましい。ケースの内向き壁面とは、ケースのうち当該ケースの内部空間を向く面を意味する。そして、ケースの内向き壁面を光源保持部として機能させる照明付き透光性建材であれば、光源がケースの内部空間に配置されることになり、光源が外部に晒される態様と比較して、光源を好適に保護することができるとともに、ケースとは別に光源保持部専用のパーツを設ける必要がなく、構成の簡素化及びコスト削減にも貢献する。なお、ケースのうち光源保持部として機能させる内向き壁面は、透光性ボード体に正対する面又は正対しない面の何れであっても構わない。
【発明の効果】
【００２１】
本発明によれば、全部又は一部が透光性を有し且つオモテ面に任意の表面処理を施した平板状の陶磁器のウラ面に、平板状の成型品である透明又は半透明の補強用樹脂板を、透明又は半透明の中間接着層で接着した三層構造の透光性ボード体、及びそのような構造の透光性ボード体を備えた照明付き透光性建材とすることによって、透光性を有する陶磁器によって醸し出される特有の光の雰囲気を確保しつつ、強度にも優れた透光性ボード体や透光性建材を提供することができる。
【図面の簡単な説明】
【００２２】
【図１】本発明の一実施形態に係る透光性ボード体の断面模式図。
【図２】同実施形態に係る透光性ボード体の一適用例（内装材）を模式的に示す図。
【図３】本発明の一実施形態に係る照明付き透光性建材の断面模式図。
【図４】同実施形態の一変形例に係る透光性ボード体の全体斜視図及び当該透光性ボード体を備えた照明付き透光性建材の分解斜視図。
【図５】同実施形態に係る透光性ボード体のさらに異なる変形例の図１対応図。
【発明を実施するための形態】
【００２３】
以下、本発明の一実施形態を、図面を参照して説明する。
【００２４】
本実施形態に係る透光性ボード体Ｘは、図１に示すように、何れも透光性を有する陶磁器１、中間接着層２及び補強用樹脂板３をこの順で積層した三層構造のボード体である。
【００２５】
陶磁器１は、所定の透光性陶磁器用練り土を可塑成形した後、焼成して得られる平板状のものであり、以下では、「陶磁器板」と称する場合もある。本実施形態では、例えば、骨材、媒熔材及び可塑性付与材を含有してなる陶磁器用練り土として、骨材が石英ガラス粉末であり、媒熔材が準長石及び／又はガラスフリットであり、可塑性付与材がハロイサイト及び／若しくはモンモリロナイトを主成分とする粘土である練り土を適用している。さらに、陶磁器用練り土における骨材、媒熔材、可撓性付与材の含有量が、骨材、媒熔材及び可塑性付与材の重量に基づいて、それぞれ４０〜７０重量％、５〜３０重量％、８〜３５重量％に設定している。このような透光性陶磁器用練り土を焼成して得られる透光性陶磁器１の結晶化度（ＪＩＳ Ｋ０１３１−１９９６、粉末Ｘ線回折分析による）は２〜１０％となり、優れた透光性を有する。本実施形態では、全体に均一又はほぼ均一な透光性を有する陶磁器板１を適用している。なお、上記以外の陶磁器用練り土を素材とする透光性陶磁器板１であってもよく、所望の透光性を有すれば、結晶化度（ＪＩＳ Ｋ０１３１−１９９６、粉末Ｘ線回折分析による）が２〜１０％の範囲から外れる透光性陶磁器板であってもよい。
【００２６】
陶磁器板１のオモテ面１１には、表面処理として釉薬処理（釉掛け）が施され、光沢のあるオモテ面１１になっている。なお、釉薬処理に代えて又は加えて、シルク印刷処理、ＵＶインクジェットプリント処理、各種シートを用いた適宜のデザイン処理、これらのうち少なくとも１つの処理をオモテ面に施した陶磁器板１を適用することも可能である。本実施形態に係る透光性ボード体Ｘは、陶磁器板１のウラ面１２に、中間接着層２を介して補強用樹脂板３を固定している。
【００２７】
中間接着層２は、例えば、透明シリコン又は透明ウレタンを主体とする接着剤である。本実施形態では、硬化前はペースト状をなし、硬化後にゴム状弾性体になる弾性接着剤によって中間接着層２を形成している。
【００２８】
補強用樹脂板３は、透光性を有する平板状の樹脂成型品である。本実施形態では、透明の硬質樹脂を素材とする補強用樹脂板３を適用している。具体的に補強用樹脂板３は、アクリル樹脂又はポリカーボネート、或いはポリスチレンを材料とする合成樹脂板である。図１に示すように、補強用樹脂体３のオモテ面、及びウラ面及び側面の全ての面（外面）が平滑な面に形成されている。
【００２９】
この補強用樹脂板３を陶磁器板１のウラ面１２に中間接着層２を介して固定することによって、本実施形態に係る三層構造の透光性ボード体Ｘを形成することができる。具体的には、ペースト状をなす弾性接着剤を、陶磁器板１のウラ面１２又は補強用樹脂板３のオモテ面の何れか一方、あるいは両方に塗布した後に、陶磁器板１のウラ面１２と補強用樹脂板３のオモテ面とを貼り合わせた状態で弾性接着剤が硬化すると、分離不能な三層構造の透光性ボード体Ｘが形成される。なお、本実施形態では、中間接着層２である弾性接着剤を、陶磁器板１のウラ面１２又は補強用樹脂板３のオモテ面の何れか一方の面、或いは両方の面に塗布する前の時点で、陶磁器板１のウラ面１２又は補強用樹脂板３のオモテ面の何れか一方の面または両方の面に対してプライマー処理（接着面の接着性を改善するために、例えば不揮発分の少ない低粘度液体であるプライマー（下塗り剤）を塗布する処理）を施している。陶磁器板１のウラ面１２又は補強用樹脂板３のオモテ面の何れか一方の面にのみプライマー処理を施す場合、プライマー処理を施す面は、微小な凹凸が皆無または略皆無である平滑な補強用樹脂板３のオモテ面であることが好ましい。図１は、透光性ボード体Ｘの断面形状を模式的に示したものであり、陶磁器板１、中間接着層２及び補強用樹脂板３の積層方向における寸法比率（厚み寸法の比率）も模式的に示している。図１に示すように、補強用樹脂板３の厚み寸法を、陶磁器板１の厚み寸法よりも大きく設定した透光性ボード体Ｘは、強度が高く、耐衝撃性に優れたものになる。もちろん、補強用樹脂板３の厚み寸法を陶磁器板１の厚み寸法以下に設定した透光性ボード体Ｘであっても、適度の強度及び耐衝撃性を有する。
【００３０】
本実施形態に係る透光性ボード体Ｘは、陶磁器板１及び補強用樹脂板３の厚み以外の平面寸法が同一または略同一である。なお、中間接着層２により陶磁器板１及び補強用樹脂板３を相互に接着する前の時点で、陶磁器板１及び補強用樹脂板３の平面寸法を互いに揃えておく態様であってもよいし、中間接着層２により陶磁器板１及び補強用樹脂板３を相互に接着した時点では陶磁器板１及び補強用樹脂板３の平面寸法が相互に異なる場合（例えば陶磁器板１よりも補強用樹脂板３の平面寸法が大きい場合）であっても、中間接着層２による接着処理後に行う所定の切断具（例えばウェータージェット等）を用いた切断処理によって、陶磁器板１及び補強用樹脂板３の平面寸法を互いに揃える態様であってもよい。また、敢えて、陶磁器板１及び補強用樹脂板３の平面寸法を互いに異ならせ、陶磁器板１と補強用樹脂板３との境界部分に段差が生じている状態のものを、そのまま適用することも可能である。
【００３１】
このような本実施形態に係る透光性ボード体Ｘは、補強用樹脂板３及び中間接着層２が陶磁器板１の透光性を著しく低下させる要因として作用することがなく、この透光性ボード体Ｘに向かって光が照射されれば、透光性を有する陶磁器板１によって醸し出される特有の柔らかい光の雰囲気を形成することができ、陶磁器板１のオモテ面１１に施す表面処理によって光の現れ方や見え方が変化するため、所望の光の現れ方や見え方となるように表面処理の処理内容を決定することで、用途や使用場所等に応じた良好な光の加減を実現することができる。さらに、本実施形態に係る透光性ボード体Ｘは、陶磁器板１、中間接着層２及び補強用樹脂板３の三層構造であるため、陶磁器板及び膜状の保護層からなる二層構造の態様と比較して、強度を高めることができ、特に、陶磁器板１の裏板として機能する補強用樹脂板３の厚みを大きく（例えば陶磁器板１の厚みよりも大きく）設定するという比較的単純な構成を採用することで、透光性ボード体Ｘ全体の強度を構造の複雑化を招来することなく高めることができる。加えて、本実施形態に係る透光性ボード体Ｘは、中間接着層及び補強用樹脂板３が何れも透明であるため、透光性ボード体Ｘを通過する光の透過率が極めて高く、陶磁器板１の素材自体及び陶磁器板１のオモテ面１１に施した表面処理に基づく特有の光の雰囲気を醸し出すことが可能である。
【００３２】
また、本実施形態では、陶磁器板１及び補強用樹脂板３を中間接着層２で相互に接着しているため、陶磁器板１及び補強用樹脂板３を一体的に積層した透光性ボード体Ｘを形成することが可能である。特に、本実施形態に係る透光性ボード体Ｘでは、陶磁器板１及び補強用樹脂板３として何れも平板状のものを適用しているため、両者を中間接着層２によって容易に面接着させることができるとともに、例えば陶磁器にメッシュ状の保護膜を接着剤で接着する態様と比較して、接着処理を容易且つスムーズに行うことができる。
【００３３】
加えて、本実施形態に係る透光性ボード体Ｘは、硬化前はペースト状をなし、且つ硬化後にゴム状弾性体になる弾性接着剤によって中間接着層２を形成しているため、弾性接着剤の硬化後において、透光性ボード体Ｘの配置環境や季節の温度変化などによって成型品の補強用樹脂板３が収縮したり、膨張した場合であっても、その変形を、ゴム状弾性体である中間接着層２によって吸収することができ、熱膨張係数が互いに異なる陶磁器板１及び補強用樹脂板３の良好な固定状態（面接着状態）を維持することができる。
【００３４】
さらに、本実施形態に係る透光性ボード体Ｘであれば、陶磁器板１が破損した場合であっても、陶磁器板１と共に中間接着層２及び補強用樹脂板３を一体的に積層しているため、陶磁器板１の飛散を防止・抑制することができ、安全性にも優れる。
【００３５】
そして、このような本実施形態に係る透光性ボード体Ｘは、例えば、屋内サイン、内装材、什器電飾材、照明カバー材、テーブルや棚等の家具天板、オフィスや住居の天井板（浴室の天井板も含む）等として適用することができる。例えば、図２に示すように、内装壁部Ｗに連続する凹部Ｈに、光源Ｌ及び透光性ボード体Ｘを配置した場合、透光性ボード体Ｘは、内装材として機能する。
【００３６】
図２に示すように、凹部Ｈのうち最も窪んだ部分（内装壁部Ｗから最も離れた部分であって、図示例では平坦な壁部）に接触または近接する位置にＬＥＤや蛍光灯等の光源Ｌを適宜の手段で取り付け、凹部Ｈのうち光源Ｌから所定寸法離れた位置に透光性ボード体Ｘを起立姿勢で配置する。この際、透光性ボード体Ｘのうち補強用樹脂板３が光源Ｌと向かい合い、陶磁器板１が凹部Ｈの外部に向かって露出し得る姿勢で透光性ボード体Ｘを配置する。同図では、２つの光源Ｌを高さ方向に離間させて配置した態様を示しているが、光源Ｌの数は１または３以上であってもよい。なお、起立姿勢で凹部Ｈに透光性ボード体Ｘを配置した状態において、陶磁器板１のオモテ面１１が、内装壁部Ｗと面一または略面一となるように配置位置を設定することも可能であるが、図２では、凹部Ｈの開口縁部に配置した第１押さえ縁Ｐ１と、第１押さえ縁Ｐ１よりも凹部Ｈの奥方に配置した第２押さえ縁Ｐ２とによって透光性ボード体Ｘをその厚み方向に挟んで保持する構成であって、第１押さえ縁Ｐ１と内装壁部Ｗとが面一または略面一となるように設定している構成を示している。したがって、図２に示す透光性ボード体Ｘにおける陶磁器板１のオモテ面１１は、内装壁部Ｗよりも第１押さえ縁Ｐ１の厚み寸法分だけ奥方に位置付けられる。第１押さえ縁Ｐ１及び第２押さえ縁Ｐ２は、起立姿勢で配置する透光性ボード体Ｘの上端部及び下端部をそれぞれ押さえるものであればよい。
【００３７】
このように、内装壁部Ｗに連続する凹部Ｈに、光源Ｌと透光性ボード体Ｘとを配置することによって、光源Ｌが透光性ボード体Ｘを照射する構成となり、透光性ボード体Ｘが奏する上述の作用効果を得ることができる斬新な内装材を実現することができる。なお、透光性ボード体Ｘの配置姿勢は、図２に示す起立姿勢に限定されず、図１に示す横臥姿勢や、図１に示す姿勢を天地反転させた反転姿勢など、適宜の姿勢で所定の位置に配置することができる。
【００３８】
また、複数の透光性ボード体Ｘを所定のサイズ・形状となるように平面的または立体的に組み合わせることで、上述の屋内サイン等として機能させることも可能である。さらにまた、光源として、ＬＥＤや蛍光灯などの人工的なものではなく、自然光を採用することも可能である。
【００３９】
次に、本実施形態に係る照明付き透光性建材Ｙについて説明する。
【００４０】
本実施形態に係る照明付き透光性建材Ｙは、例えば図３に示すように、透光性ボード体Ｘと、光源４と、光源４を保持し且つ透光性ボード体Ｘ及び光源４の相対位置を位置決めする光源保持部５とを備えたものである。透光性ボード体Ｘは、上述した透光性ボード体Ｘと同じまたは準じた構成のものである。また、透光性建材Ｙにおける光源４としては、ＬＥＤや電球等を適用挙げることができる。
【００４１】
図３に示す透光性建材Ｙは、透光性ボード体Ｘによって閉成される開口部を有する箱状のケース６を備え、このケース６のうち開口部を閉成する位置に横臥姿勢で配置した透光性ボード体Ｘに対向する底壁部６１の内向き壁面６１ａ（ケース６の内部空間６Ｓを向く面）を光源保持部５として機能させている。ケース６は、底壁部６１と、底壁部６１の周縁または周縁近傍から起立する起立壁部６２とを備え、上方に開放された開口部を通じて外部に連通する内部空間６Ｓを有するものである。本実施形態では、ケース６の内部空間６Ｓのうち起立壁部６２の内側に接触または近接する位置に、透光性ボード体Ｘを支持する支持部６３を配置している。図３に示すケース６の底壁部６１及び起立壁部６２はそれぞれ別パーツであり、底壁部６１の周縁と起立壁部６２との間に支持部６３を設けている。起立壁部６２の下端及び支持部６３の下端は、底壁部６１の下向き面と面一または略面一である。相互に重なり合う起立壁部６２及び支持部６３は、適宜の固定具（図示例ではネジＮ）によって一体的に固定することができ、底壁部６１及び支持部６３は適宜の手段で一体的に組み付けられている。なお、底壁部６１及び起立壁部６２を一体に形成したケースを採用したり、底壁部６１及び起立壁部６２が一体形成されたものであるか否かを問わず、底壁部６１又は起立壁部６２の少なくとも何れか一方に支持部６３を一体形成した態様を採用することもできる。ケース６や支持部６３は、例えば金属製、木製、樹脂製の何れであってもよい。
【００４２】
本実施形態に係る透光性建材Ｙは、底壁部６１の上向き面６１ａ（内向き壁面６１ａ）に光源４を適宜の手段で取り付けた後に、ケース６の開口部を閉止する位置に透光性ボード体Ｘを横臥姿勢で配置し、透光性ボード体Ｘを支持部６３で支持させた状態で、透光性ボード体Ｘのうち表面処理が施されている陶磁器板１のオモテ面１１に、透明又は半透明のカバー７を配置又は形成することで完成品となる。カバー７は、防水性であることが好ましく、軟質樹脂からなる薄板状の成型品であってもよいし、陶磁器板１のオモテ面１１に直接塗布して形成した樹脂層であってもよい。本実施形態では、ケース６の起立壁６２の先端部（底壁部６１から遠い方の端部）に、透光性ボード体Ｘの外縁部の所定領域を被覆し得る押さえ縁６４を形成し、陶磁器板１のオモテ面１１と押さえ縁６４との間にカバー７の厚み寸法に想到する隙間を形成し、この隙間にカバー７の外縁部を挿入または充填している。
【００４３】
そして、本実施形態に係る透光性建材Ｙは、図３に示す基準姿勢、すなわち、透光性ボード体Ｘのうち陶磁器板１のオモテ面１１が上方を向く姿勢はもちろんのこと、基準姿勢に対して天地を反転させた姿勢（反転姿勢）や、透光性ボード体Ｘが起立状態となる起立姿勢等、用途や設置場所に応じて、適宜の姿勢で配置することができる。なお、透光性建材Ｙの設置場所に、透光性建材Ｙを所定の姿勢で保持する保持部（図示省略）を設け、保持部によって透光性建材Ｙを安定した状態で保持するように構成しても構わない。
【００４４】
このような本実施形態に係る透光性建材Ｙは、ケース６の内部空間６Ｓに光源４を配置するとともに、ケース６の開口部を閉止する位置に透光性ボード体Ｘを配置しているため、光源４が透光性ボード体Ｘを照射する構成となり、透光性ボード体Ｘが奏する上述の作用効果を得ることが可能な斬新な透光性建材Ｙを実現することができる。しかも、本実施形態に係る透光性建材Ｙは、光源４全体を閉塞空間であるケース６の内部空間６Ｓに配置しているため、光源４に対する防水・防塵作用を奏し、光源４の長寿命化を図ることができるとともに、ケース６及び透光性のカバー７によって透光性ボード体Ｘ全体を外部に晒さない状態にして、透光性ボード体Ｘの損傷・劣化を防止・抑制することができ、長寿命化を図ることができる。さらに、本実施形態係る透光性建材Ｙは、ケース６のうち底壁部６１の内向き壁面６１ａを光源保持部５として機能させ、この光源保持部５に保持した光源４と、ケース６の開口部を閉止する位置に配置した透光性ボード体Ｘとの相対位置を位置決めする構成を採用しているため、この透光性建材Ｙを所定の場所に設置した初期設置状態における透光性ボード体Ｘと光源４との適切な相対位置を維持することができ、透光性ボード体Ｘと光源４との相対位置によって変化し得る透光性ボード体Ｘ越しの光の雰囲気を、初期設置状態における所望の雰囲気と同じ雰囲気に長期に渡って維持することができる。
【００４５】
本実施形態に係る照明付き透光性建材Ｙの具体例としては、屋外サインや外装材を挙げることができる。このような用途で使用可能な本実施形態に係る照明付き透光性建材Ｙは、上述の構成を採用していることによって、光源４及び透光性ボード体Ｘの早期損傷や劣化を防止するとともに、設置時や交換時の取扱い性に優れ、特に、カバー７及び透光性ボード体Ｘをケース６から取り外し可能に設定していれば、透光性ボード体Ｘや光源４をパーツ単位で修理や交換することができ、実用性に富み、便利である。
【００４６】
また、本実施形態に係る透光性建材Ｙは、ケース６内に配置した光源４を好適に保護することができるとともに、ケース６とは別に光源保持部専用のパーツを設ける必要がなく、構成の簡素化及びコスト削減にも貢献する。
【００４７】
なお、本発明は上述した実施形態に限定されるものではない。例えば、透光性ボード体は、全体として陶磁器、中間接着層及び補強用樹脂板の３層構造のボード体であればよく、陶磁器のオモテ面に正対する方向から見た形状（平面形状）は矩形状に限らず、多角形状状、円状（楕円を含む）、直線状、曲線状、波線状、格子状、文字や記号の形状等、種々の形状に設定することができる。一例として、平面形状がロ字形状の透光性ボード体Ｘ’を図４に示す。また、同図に示すように、透光性ボード体Ｘ’の平面形状に応じて、ケース６’の平面形状も適宜の形状に設定することが可能である。同図に示すケース６’は、中央部分が矩形状に開口している平面視ロ字形状の底壁部６１’と、底壁部６１’の内周縁（開口縁）及び外周縁からそれぞれ所定方向に起立する内側起立壁部６２’及び外側起立壁部６３’とを備え、底壁部６１’、内側起立壁部６２’及び外側起立壁部６３’によって仕切られる内部空間６Ｓ’が、平面視ロ字形状の開口部を通じて外部に開放されているものである。ケース６’のうち底壁部６１’の内向き壁面６１ａ’に光源４’を取り付け、この内向き壁面６１ａ’を光源保持部５’として機能させている。同図には、複数の光源４’を等ピッチで配置した態様を例示している。
【００４８】
ケース６’は、内側起立壁部６２’及び外側起立壁部６３’の各先端部（底壁部６１’から遠い方の端部）に透光性ボード体Ｘ’のウラ面（補強用樹脂板３のうち中間接着層２から遠い方の面）を接触させた状態で支持することができ、この状態でケース６’の開口部は、透光性ボード体Ｘ’によって閉止される。このような相対位置関係にあるケース６’及び透光性ボード体Ｘ’を、接着剤等を用いて適宜の手段で一体的に組み立てることで、照明付き透光性建材とすることが可能であるが、図示例では、ケース６’との間で透光性ボード体Ｘ’を厚み方向に挟むカバー７’を、透光性ボード体Ｘ’のオモテ面（陶磁器板１のオモテ面１１）側に配置した状態で、これらカバー７’とケース６’を相互に固定することによって、ケース６’の内部空間６Ｓ’に配置した光源４’と、ケース６’の開口部を閉止する位置に配置した透光性ボード体Ｘ’との相対位置を位置決めした照明付き透光性建材Ｙ’とすることができる。
【００４９】
同４に示すカバー７’は、平面視ロ字形状をなす透光性ボード体Ｘ’のオモテ面のうち内周縁（開口縁）の所定領域を被覆する内側押さえ縁７１’と、内側押さえ縁７１’の内周縁からケース６’の底壁部６１’に向かって突出する内側突出壁７２’と、透光性ボード体Ｘ’のオモテ面のうち外周縁の所定領域を被覆する外側押さえ縁７３’と、外側押さえ縁７３’の外周縁からケース６’の底壁部６１’に向かって突出する外側突出壁７４’とを備え、内側押さえ縁７１’及び外側押さえ縁７３’をそれぞれ透光性ボード体Ｘ’のオモテ面に接触または近接させた状態で、相互に重なり合う内側突出壁７２’とケース６’の内側起立壁部６２’とを適宜の固定具等を用いて固定するとともに、外側突出壁７４’とケース６’の外側起立壁部６３’とを適宜の固定具等を用いて固定することによって、ケース６’、透光性ボード体Ｘ’及びカバー７’を一体的に組み付けた照明付き透光性建材Ｙ’となる。
【００５０】
このような照明付き透光性建材Ｙ’によれば、透光性ボード体Ｘ’のオモテ面（陶磁器板１’のオモテ面１１’）の一部がカバー７’の内側押さえ縁７１’及び外側押さえ縁７３’に覆われた構成となるものの、透光性ボード体Ｘ’のオモテ面の大部分が外部に露出している構成であり、上述の透光性建材Ｙと同様の作用効果を得ることができる。
【００５１】
なお、カバー７’のうち内側押さえ縁７１’及び内側突出壁７２’を一体に形成し、外側押さえ縁７３’及び外側突出壁７４’を一体に形成することができる。ケース６’及びカバー７’は、板金加工によって形成されたものであってもよいし、板金以外の素材から形成されたものであってもよい。また、ケース６’とカバー７’の素材を相互に異ならせたり、カバー７’のうち少なくとも透光性ボード体Ｘ’のオモテ面に近接または接触する位置に配置される部分（図４のカバー７’であれば内側押さえ縁７１’、外側押さえ縁７３’）を透明又は半透明の素材から形成することもできる。
【００５２】
また、上述の実施形態では、照明付き透光性建材において、ケースの底壁部の内向き壁面を光源保持部として機能させる態様を例示したが、底壁部以外の壁部、例えば起立壁部の内向き壁面（ケースの内部空間を向く面）を光源保持部として機能させてもよい。つまり、光源保持部として機能する内向き壁面は、透光性ボード体に正対しない面であっても構わない。
【００５３】
ケースを備えた照明付き透光性建材において、ケースのうち内向き壁面以外の部分を光源保持部として機能させたり、ケースの内部に設けた適宜の専用パーツによって光源保持部を構成することもできる。ケースの具体的な構成も適宜変更することが可能である。
【００５４】
また、本発明に係る照明付き透光性建材は、ケースを備えず、適宜のパーツで構成した光源保持部によって保持された光源と、この光源に照射される透光性ボード体とを備えたものであってもよい。
【００５５】
また、１つの透光性建材が複数の透光性ボード体を備えたものであってもよく、その場合、複数の透光性ボード体を所定のサイズ・形状となるように平面的または立体的に組み合わせた状態でケースの開口部を閉止する位置に取り付けた状態で、上述の屋外サイン等として機能させることも可能である。
【００５６】
本発明に係る透光性ボード体、及び照明付き透光性建材において、透光性陶磁器板のオモテ面に施す表面処理として、釉薬処理に代えて又は加えて、シルク印刷処理、ＵＶインクジェットプリント処理、各種シートを用いた適宜のデザイン処理を採用することも可能である。
【００５７】
また、本発明に係る透光性ボード体、及び照明付き透光性建材が、全部ではなく一部に透光性を有する陶磁器を備えたもの、換言すれば、一部に不透光性の部分が存在する陶磁器を備えたものであってもよい。透過率が異なる部分が存在する陶磁器であっても構わない。
【００５８】
また、本発明における補強用樹脂板として、半透明の硬質樹脂によって形成したものを適用することも可能である。この場合、透明の硬質樹脂で形成した補強用樹脂板と比較して、透過率は低下するものの、透光性ボード体を通過する光の拡散率を向上させることができる。
【００５９】
さらにまた、本発明における補強用樹脂板として、図５に模式的に示すように、硬質樹脂のうち特に発泡樹脂を素材とする平板状の補強用樹脂板３’’を適用している。具体的に補強用樹脂板３’’は、アクリル樹脂又はポリカーボネート、或いはポリスチレンを材料とする合成樹脂板である。図５に示すように、発泡樹脂の成型品である補強用樹脂板３の断面には多数の気泡が存在するが、補強用樹脂体３のオモテ面、ウラ面及び側面の全ての面（外面）には気泡が現れず、全ての外面が平滑な面に形成されている。同図は、図１に対応するものであり、透光性ボード体がＸ’’、透光性陶磁器１’’、中間接着層２’’、及び補強用樹脂３’’の積層状態を模式的に示す図であり、気泡の大きさや数も模式的に示している。このように、発泡樹脂からなる補強用樹脂板３’’を適用すれば、発泡樹脂を適用していない補強用樹脂板と比較して、所定サイズの樹脂板を形成するために要する樹脂原料の使用量を減らすことでコスト削減及び軽量化を図ることができるのみならず、曲げ強度や引っ張り強度も向上し、撓み難い補強用樹脂板３’’となる。さらに、透光性ボード体Ｘ’’が視界に入る人（看者）にとって、陶磁器板１’’側から透光性ボード体Ｘ’’を見た場合に、補強用樹脂板３’’が発泡樹脂であることに起因して、補強用樹脂板３’’よりも奥方にある物体の存在をぼかすことができる。したがって、補強用樹脂板３’’の奥方に光源を配置した場合、その光源による光が透光性の補強用樹脂板３’’、中間接着層２’’及び陶磁器板１’’を通ることで、透光性陶磁器特有の光の雰囲気を醸し出すことができるとともに、看者からは光源の存在が直感的に分かり難く、意匠性の向上を図ることができる。なお、発泡樹脂を素材とする平板状の補強用樹脂板３’’であれば、白化しているため、完全な透明ではないものの、半透明の条件（つまり、透光性を有するとの条件）は満たすことになる。
【００６０】
また、補強用樹脂板の厚み寸法を、陶磁器板の厚み寸法よりも小さくしたり、同一に設定してもよい。
【００６１】
また、本発明に係る透光性ボード体のうち、中間接着層は、透明又は半透明であれば適宜のものを適用することができる。特に、補強用樹脂板として熱変形しないものや、ほとんど熱変形しないものを適用する場合には、硬化前はペースト状をなし且つ硬化後にゴム状弾性体になる弾性接着剤以外の接着剤や適宜の素材からなる中間接着層を採用することも可能である。
【００６２】
その他、各部の具体的構成についても上記実施形態に限られるものではなく、本発明の趣旨を逸脱しない範囲で種々変形が可能である。
【符号の説明】
【００６３】
１，１’，１’’…陶磁器（陶磁器板）
２，２’，２’’…中間接着層
３，３’，３’’…補強用樹脂板
５，５’…光源保持部
４，４’…光源
６，６’…ケース
Ｘ，Ｘ’，Ｘ’’…透光性ボード体
Ｙ，Ｙ’…照明付き透光性建材
【図１】
2016037731.tif 000003
【図２】
2016037731.tif 000004
【図３】
2016037731.tif 000005
【図４】
2016037731.tif 000006
【図５】
2016037731.tif 000007